(57)【要約】      （修正有）【課題】超音波検査装置を用いた褥瘡診断の訓練をよりリアルで容易に行うことができる褥瘡診断訓練用の生体組織モデルおよび人体モデルを提供する。【解決手段】生体組織モデル１２は、褥瘡状態の疑似軟部組織層２２Ｂを備え、この疑似軟部組織層２２Ｂを、超音波伝達性の程度が異なる複数の材料を積層することにより、および／または超音波伝達性が同程度の複数の材料を積層深さを異ならせて積層することにより形成して、褥瘡の症例を示すエコー画像が映し出されるようにする。人体モデルは、人体の一部または全部を模した人体モデル本体の組込用穴に、生体組織モデル１２を組み込んで構成するものとする。【選択図】図３
2016224396.tif 000002
【特許請求の範囲】
【請求項１】
超音波のエコーに基づくエコー画像を映し出すモニターを備えた超音波検査装置を用いて褥瘡診断を訓練する褥瘡診断訓練用の生体組織モデルであって、
褥瘡状態の軟部組織層を模した疑似軟部組織層を備え、この褥瘡状態の疑似軟部組織層を、超音波伝達性の程度が異なる複数の材料を積層することにより、および／または超音波伝達性が同程度の複数の材料を積層深さを異ならせて積層することにより形成して、前記褥瘡状態の疑似軟部組織層に向けて放たれた超音波のエコーによって前記モニターに褥瘡の症例を示すエコー画像が映し出されるようにしたことを特徴とする褥瘡診断訓練用の生体組織モデル。
【請求項２】
前記褥瘡状態の疑似軟部組織層は、脂肪層を模した疑似脂肪層を有し、この疑似脂肪層中にその疑似脂肪層を構成する材料とは超音波伝達性の程度が異なる材料を混在させることにより、前記褥瘡の症例を示すエコー画像として、前記疑似脂肪層の層構造が不明瞭になった状態、前記疑似脂肪層との境界が明瞭で丸みを持った低輝度の部分が限局的に広がった状態および前記疑似脂肪層との境界が不明瞭で低輝度の部分が不均一に散らばった状態のいずれかを示すエコー画像が前記モニターに映し出されるようにしたことを特徴とする請求項１に記載の褥瘡診断訓練用の生体組織モデル。
【請求項３】
前記褥瘡状態の疑似軟部組織層は、脂肪層を模した疑似脂肪層を有し、この疑似脂肪層中に空洞部を形成することにより、前記褥瘡の症例を示すエコー画像として、前記疑似脂肪層との境界が明瞭で低輝度の部分が限局的に広がった状態を示すエコー画像が前記モニターに映し出されるようにしたことを特徴とする請求項１に記載の褥瘡診断訓練用の生体組織モデル。
【請求項４】
前記褥瘡状態の疑似軟部組織層は、筋膜を模した疑似筋膜を有し、この疑似筋膜を複数に分断することにより、前記褥瘡の症例を示すエコー画像として、前記疑似筋膜が断絶した状態を示すエコー画像が前記モニターに映し出されるようにしたことを特徴とする請求項１に記載の褥瘡診断訓練用の生体組織モデル。
【請求項５】
人体の一部または全部を模した人体モデル本体の所定部位に、第１発明〜第４発明のいずれかの発明に係る褥瘡診断訓練用の生体組織モデルを組み込んでなることを特徴とする人体モデル。
【請求項６】
人体の一部または全部を模した人体モデル本体の所定部位に、第１発明〜第４発明のいずれかの発明に係る褥瘡診断訓練用の生体組織モデルを組み込んだ組込形態と、褥瘡が発生していない正常な軟部組織層を模した正常状態の疑似軟部組織層を備え、この正常状態の疑似軟部組織層を、超音波伝達性の程度が異なる複数の材料を積層することにより、および／または超音波伝達性が同程度の複数の材料を積層深さを異ならせて積層することにより形成してなる正常診断訓練用の生体組織モデルを前記褥瘡診断訓練用の生体組織モデルに代えて組み込んだ組込形態とを切り換え可能に構成したことを特徴とする人体モデル。
【発明の詳細な説明】
【技術分野】
【０００１】
本発明は、超音波検査装置を用いた褥瘡診断訓練用の生体組織モデルおよび人体モデルに関し、特に、褥瘡の症例を示すエコー画像が超音波検査装置のモニターに映し出されるようにした褥瘡診断訓練用の生体組織モデルおよび人体モデルに関するものである。
【背景技術】
【０００２】
これまでの褥瘡診断は、視診・触診による外診をもとになされてきた。しかし、近年、外診では一見すると浅い褥瘡にみえるが、既に深部まで組織が障害されている状態で、深部から表層にかけて急激に悪化する深部組織損傷（Ｄｅｅｐ  Ｔｉｓｓｕｅ  Ｉｎｊｕｒｙ：ＤＴＩ）が注目され、早期診断による治療と看護ケアが求められる。そこで、その正確性を高めるために、超音波検査の併用が期待されている。超音波検査は、非侵襲的で簡便かつリアルタイムな検査であり、褥瘡の診断や評価における有用性を示す研究も増加している。
【０００３】
褥瘡の超音波検査を行う医師や看護師等（以下、「術者等」と称する。）に必要とされる基本的な検査手順や超音波検査画像診断に関する知識については、論文（例えば、非特許文献１参照）等により得ることができるが、術者等が自ら超音波検査装置を操作して検査を行い、褥瘡診断を行うことができるようになるまでには、多くの訓練と経験が必要とされる。
【０００４】
褥瘡診断の訓練法として、例えば、熟練した術者の指導の基で実際に超音波検査装置を用いて褥瘡患者を診断するという実務を通じての訓練や、シミュレーションによる訓練などが挙げられる。実務を通じての訓練法では、患者の都合等を考慮しなければならず、容易に訓練を行うことができないという問題点がある。一方、シミュレーションによる訓練では、患者の都合等を考慮する必要がないため、容易に訓練を行うことができるという利点があり、褥瘡診断のシミュレーションに供する装置等の出現が望まれている。
【０００５】
褥瘡診断のシミュレーションに供する装置等への応用が期待されるものして、心臓や他の臓器を対象とする超音波診断教育用シミュレーション装置（例えば、特許文献１参照）や、生体組織に生じた病変部のように外部から視認不可能な疑似病変部に対して超音波ガイド下で確実に穿刺処理を施す訓練を行うことができる超音波検査用生体モデル（例えば、特許文献２参照）が提案されている。
【先行技術文献】
【特許文献】
【０００６】
【特許文献１】特開２０１１−１４１４０２号公報
【特許文献２】特許第５２１４７３３号公報
【非特許文献】
【０００７】
【非特許文献１】真田弘美、外３名、「超音波検査による褥瘡診断の有用性」、Ｊｐｎ  Ｊ  Ｍｅｄ  Ｕｌｔｒａｓｏｎｉｃｓ  Ｖｏｌ．４１  Ｎｏ．５（２０１４）、ｐ．６４９−６５８
【０００８】
上記特許文献１に係る超音波診断教育用シミュレーション装置は、（ａ）胸部および／または腹部の所定位置に磁気を感知する磁気センサが埋設されるとともに光を発する発光部を具える中空の上半身人体模型と、（ｂ）内部に磁石、押圧力を感知する感圧センサ、回転角度を検出するジャイロセンサ、光を感知する受光部および傾斜角度を検出する３軸センサを具える疑似プローブと、（ｃ）心エコーおよび／または腹部エコーの平面実画像データを記憶する記憶部と、（ｄ）各センサから送られる情報を基に疑似プローブの空間位置を演算し、記憶部から該疑似プローブの空間位置に対応する平面実画像データを読み出す演算部と、（ｅ）平面画像データを表示する表示部とを備えて構成されている。この超音波診断教育用シミュレーション装置によれば、実際の超音波診断における検体と同様の体位で行えるとともに同様の感覚でシミュレーションを行うことができる。
【０００９】
上記特許文献２に係る超音波検査用生体モデルは、高剛性層と、この高剛性層上に積層された低剛性層とにより構成されている。低剛性層は、乳房の皮下に位置する脂肪組織を模したものであり、高剛性層は、乳房の脂肪組織よりも奥側に位置する乳腺およびその周辺の部位を模したものである。高剛性層内には、乳腺に生じた腫瘍（乳がん）を模した疑似病変部が配置されている。超音波伝達性を変化させる材料は、低剛性層よりも高剛性層の方がその含有量は少なく、疑似病変部には含有されていない。この超音波検査用生体モデルによれば、人体の乳房に生じた腫瘍のように外部から視認不可能な疑似病変部に対して、超音波ガイド下で確実に穿刺処理を施す訓練を行うことができる。
【００１０】
ところで、患者に対して実際に超音波検査装置を用いて得られるエコー画像は、患者の皮下組織に生じるわずかな音響インピーダンスのずれを超音波により映像化するものであるから、患者に向けて超音波を送受信するためのプローブの操作のわずかな違いで、映し出されるエコー画像が変わり、また画質の良否も変わってくる。
【００１１】
しかしながら、上記特許文献１に係る超音波診断教育用シミュレーション装置では、疑似プローブの空間位置に対応する平面実画像データを記憶部から読み出して表示する構成であるため、プローブの操作のわずかな違いで、映し出されるエコー画像が変わり、また画質の良否も変わるというところまでは実現することが難しく、よりリアルな訓練を行うことができないという問題点がある。
【００１２】
また、褥瘡とは、身体に加わった外力が骨と皮膚表層の間の軟部組織の血流を低下／停止させ、一定時間持続され生じる組織の不可逆的な阻血性障害で皮下組織の一部が損傷したものであり、褥瘡の症例を示すエコー画像としては、例えば、層構造が不明瞭になった状態や低輝度の部分が限局的に広がった状態を示すエコー画像が映し出される。
【００１３】
しかしながら、上記特許文献２に係る超音波検査用生体モデルでは、皮下組織の層構造の中に疑似病変部という塊状物をエコー画像に映し出すことはできるものの、皮下組織の一部が損傷して層構造が変化した状態を映し出すことはできないため、上記特許文献２に係る超音波検査用生体モデルに関する技術を、褥瘡診断の訓練のためにそのまま適用することはできず、褥瘡診断の訓練に適するよう改良する必要があると言える。
【発明の概要】
【発明が解決しようとする課題】
【００１４】
本発明は、前述のような問題点に鑑みてなされたもので、超音波検査装置を用いた褥瘡診断の訓練をよりリアルで容易に行うことができる褥瘡診断訓練用の生体組織モデルおよび人体モデルを提供することを目的とするものである。
【課題を解決するための手段】
【００１５】
前記目的を達成するために、第１発明による褥瘡診断訓練用の生体組織モデルは、
超音波のエコーに基づくエコー画像を映し出すモニターを備えた超音波検査装置を用いて褥瘡診断を訓練する褥瘡診断訓練用の生体組織モデルであって、
褥瘡状態の軟部組織層を模した疑似軟部組織層を備え、この褥瘡状態の疑似軟部組織層を、超音波伝達性の程度が異なる複数の材料を積層することにより、および／または超音波伝達性が同程度の複数の材料を積層深さを異ならせて積層することにより形成して、前記褥瘡状態の疑似軟部組織層に向けて放たれた超音波のエコーによって前記モニターに褥瘡の症例を示すエコー画像が映し出されるようにしたことを特徴とするものである。
【００１６】
第１発明において、前記褥瘡状態の疑似軟部組織層は、脂肪層を模した疑似脂肪層を有し、この疑似脂肪層中にその疑似脂肪層を構成する材料とは超音波伝達性の程度が異なる材料を混在させることにより、前記褥瘡の症例を示すエコー画像として、前記疑似脂肪層の層構造が不明瞭になった状態、前記疑似脂肪層との境界が明瞭で丸みを持った低輝度の部分が限局的に広がった状態および前記疑似脂肪層との境界が不明瞭で低輝度の部分が不均一に散らばった状態のいずれかを示すエコー画像が前記モニターに映し出されるようにするのが好ましい（第２発明）。
【００１７】
第１発明において、前記褥瘡状態の疑似軟部組織層は、脂肪層を模した疑似脂肪層を有し、この疑似脂肪層中に空洞部を形成することにより、前記褥瘡の症例を示すエコー画像として、前記疑似脂肪層との境界が明瞭で低輝度の部分が限局的に広がった状態を示すエコー画像が前記モニターに映し出されるようにするのが好ましい（第３発明）。
【００１８】
第１発明において、前記褥瘡状態の疑似軟部組織層は、筋膜を模した疑似筋膜を有し、この疑似筋膜を複数に分断することにより、前記褥瘡の症例を示すエコー画像として、前記疑似筋膜が断絶した状態を示すエコー画像が前記モニターに映し出されるようにするのが好ましい（第４発明）。
【００１９】
次に、第５発明による人体モデルは、
人体の一部または全部を模した人体モデル本体の所定部位に、第１発明〜第４発明のいずれかの発明に係る褥瘡診断訓練用の生体組織モデルを組み込んでなることを特徴とするものである。
【００２０】
次に、第６発明による人体モデルは、
人体の一部または全部を模した人体モデル本体の所定部位に、第１発明〜第４発明のいずれかの発明に係る褥瘡診断訓練用の生体組織モデルを組み込んだ組込形態と、褥瘡が発生していない正常な軟部組織層を模した正常状態の疑似軟部組織層を備え、この正常状態の疑似軟部組織層を、超音波伝達性の程度が異なる複数の材料を積層することにより、および／または超音波伝達性が同程度の複数の材料を積層深さを異ならせて積層することにより形成してなる正常診断訓練用の生体組織モデルを前記褥瘡診断訓練用の生体組織モデルに代えて組み込んだ組込形態とを切り換え可能に構成したことを特徴とするものである。
【発明の効果】
【００２１】
第１発明の褥瘡診断訓練用の生体組織モデルによれば、超音波伝達性の程度が異なる複数の材料を積層することにより、および／または超音波伝達性が同程度の複数の材料を積層深さを異ならせて積層することにより、褥瘡が発生した状態の軟部組織層を模した褥瘡状態の疑似軟部組織層が形成されて、この褥瘡状態の疑似軟部組織層に向けて放たれた超音波のエコーによってモニターに褥瘡の症例を示すエコー画像が映し出されるので、超音波検査装置におけるプローブの操作のわずかな違いで、映し出される褥瘡の症例を示すエコー画像が変わり、また画質の良否も変わるところまで実現することができ、また患者の都合等を考慮することなく訓練することができるので、超音波検査装置を用いた褥瘡診断の訓練をよりリアルで容易に行うことができる。
【００２２】
また、第２発明〜第４発明の構成を採用することにより、（ａ）層構造が不明瞭になった状態や、（ｂ）低輝度の部分が限局的に広がった状態、（ｃ）低輝度の部分が不均一に散らばった状態、（ｄ）ポケット状の空洞が生じた状態、（ｅ）筋膜が断絶した状態などのような褥瘡を示す具体的な症例についての褥瘡診断の訓練を効果的に行うことができる。
【００２３】
第５発明の人体モデルによれば、人体の一部または全部を模した人体モデル本体の所定部位に、第１発明〜第４発明のいずれかの発明に係る褥瘡診断訓練用の生体組織モデルが組み込まれるので、超音波検査装置を用いた褥瘡診断の訓練を実際の超音波診断における患者の体位に近い状態で行うことができる。
【００２４】
第６発明の人体モデルによれば、第５発明の人体モデルと同様に、超音波検査装置を用いた褥瘡診断の訓練を実際の超音波診断における患者の体位に近い状態で行うことができるのは言うまでもない。
さらに、この第６発明の人体モデルによれば、人体モデル本体の所定部位に、第１発明〜第４発明のいずれかの発明に係る褥瘡診断訓練用の生体組織モデルを組み込んだ組込形態と、この組込形態における前記褥瘡診断訓練用の生体組織モデルに代えて正常診断訓練用の生体組織モデルを組み込んだ組込形態とが切り換え可能とされるので、正常状態の軟部組織層を示すエコー画像と褥瘡状態の軟部組織層を示すエコー画像とを組込状態を切り換えることによって交互に見ることができ、超音波検査装置を用いた褥瘡診断の訓練をより効果的に行うことができる。
【図面の簡単な説明】
【００２５】
【図１】図１は、本発明の一実施形態に係る褥瘡診断訓練システムを示す図で、（ａ）が全体外観図、（ｂ）は超音波検査装置の機能ブロック図である。
【図２】図２は、第１の生体組織モデルの縦断面図である。
【図３】図３は、第２の生体組織モデルの縦断面図である。
【図４】図４は、第３の生体組織モデルの縦断面図である。
【図５】図５は、第４の生体組織モデルの縦断面図である。
【図６】図６は、第５の生体組織モデルの縦断面図である。
【図７】図７は、第１の生体組織モデルのエコー画像を示す図面代用写真で、（ａ）は長軸エコー画像、（ｂ）は短軸エコー画像である。
【図８】図８は、第２の生体組織モデルのエコー画像を示す図面代用写真で、（ａ）は長軸エコー画像、（ｂ）は短軸エコー画像である。
【図９】図９は、第３の生体組織モデルの要部のエコー画像を示す図面代用写真で、（ａ）は長軸エコー画像、（ｂ）は短軸エコー画像である。
【図１０】図１０は、第４の生体組織モデルのエコー画像を示す図面代用写真で、（ａ）は長軸エコー画像、（ｂ）は短軸エコー画像である。
【図１１】図１１は、第５の生体組織モデルのエコー画像を示す図面代用写真で、（ａ）は長軸エコー画像、（ｂ）は短軸エコー画像である。
【発明を実施するための形態】
【００２６】
次に、本発明による褥瘡診断訓練用の生体組織モデルおよび人体モデルの具体的な実施の形態について、図面を参照しつつ説明する。
【００２７】
図１（ａ）に示される褥瘡診断訓練システム１は、超音波を放って検査する超音波検査装置２と、この超音波検査装置２からの超音波を受ける人体モデル３とを備えて構成されている。
【００２８】
＜超音波検査装置の説明＞
超音波検査装置２は、プローブ２ａと、装置本体２ｂとを備えている。
プローブ２ａは、先端に多数配列される振動子を備えてなり、超音波を発生して送信するとともに、被検査体の音響的不連続部分から戻る超音波信号（以下、「エコー」と称する。）を受信する。
図１（ｂ）に示されるように、装置本体２ｂは、主に、送信回路４、受信回路５、デジタルスキャンコンバーター回路６、制御回路７およびモニタ８を備えてなり、送信回路４は、プローブ２ａにおいて超音波を発生させるために振動子に電圧を加え、受信回路５は、プローブ２ａにおいて多数の振動子で受信したエコーを加算し、デジタルスキャンコンバーター回路６は、受信回路５から送られた信号をエコー画像に変換して種々の画像処理を行い、制御回路７は、送受信のタイミングなど装置全体を制御し、モニター８は、デジタルスキャンコンバーター回路６によって処理されたデータをエコー画像として表示する。
【００２９】
＜人体モデルの説明＞
人体モデル３は、人の腰部から大腿部途中に至る部分を模した人体モデル本体１０を備え、この人体モデル本体の仙骨部（大転子部の場合もある）に形成された組込用穴１０ａに、正常診断訓練用の第１の生体組織モデル１１または褥瘡診断訓練用の第２〜第５の生体組織モデル１２〜１５を組み込んでなるものである。
【００３０】
＜第１の生体組織モデルの説明＞
図２に示されるように、正常診断訓練用の第１の生体組織モデル１１は、人の仙骨を模した疑似仙骨２１と、人の軟部組織層を模した疑似軟部組織層２２Ａとを備えて構成されている。
疑似軟部組織層２２Ａは、疑似仙骨２１上に積層され、人の筋肉層を模した疑似筋肉層２３と、この疑似筋肉層２３上に積層され、人の深筋膜を模した疑似深筋膜２４と、この疑似深筋膜２４上に積層され、人の脂肪層を模した疑似脂肪層２５と、この疑似脂肪層２５上に積層され、人の表皮・真皮層を模した疑似表皮・真皮層２６とにより構成されている。
【００３１】
＜エコーの特性の説明＞
モニター８に映し出されるエコー画像は、生体内に超音波を発射して生体組織から返ってくる音響（エコー）を利用して作成されるが、画像の作成過程で減衰、反射、屈折などが起こり、また周波数などがエコー画像に大きな影響を与えている。
エコーの特性は、生体組織の音速や音響インピーダンス、減衰率などで決定され、特に音響インピーダンスは、反射と散乱に大きくかかわり、隣接する組織の音響インピーダンスの差が大きいほど、反射や散乱が多くなり、その境界が高エコー（後述する）となる。
ここで、音響インピーダンスは、音響的性質を示す物理量のことで、Ｚ：音響インピーダンス、Ｃ：媒質固有の音速、ρ：媒質の密度とすると、Ｚ＝ρ×Ｃのように、音速と密度の積で決定される特性を持つ。
表１に生体組織の音響特性を示す。
【００３２】
【表１】
2016224396.tif 000003
【００３３】
表１に示されるように、実際の生体においては、超音波伝達性の程度、言い換えれば音響インピーダンスが異なる複数の組織（骨、筋肉、脂肪等）が積層されており、複数の組織間での音響インピーダンスの比が特定の値であるとともに、複数の組織間での音響インピーダンスの差が所定の値である。
正常診断訓練用の生体組織モデル１１においては、実際の生体組織と同様に、当該生体組織モデル１１を構成する複数の疑似組織（疑似仙骨２１、疑似筋肉層２３、疑似深筋膜２４、疑似脂肪層２５および疑似表皮・真皮層２６）を音響インピーダンスが異なる複数の材料で構成し、複数の疑似組織間での音響インピーダンスの比を実際の生体組織と同様に特定の値に近づけるとともに、複数の疑似組織間での音響インピーダンスの差を実際の生体組織と同様に所定の値に近づけるようにしている。
疑似組織を構成する材料には、超音波をより反射させる、或いはより減衰させる材料（以下、「音響インピーダンス変化材」）を適宜に配合したり、付着したりすることにより、特定の疑似組織の超音波伝達性（音響インピーダンス）を全体的または局所的に変化させるようにしている。
【００３４】
エコー画像では、画像の表現として、（ａ）高エコー、（ｂ）低エコー、（ｃ）等エコー、（ｄ）無エコーなどの用語があり、（ａ）の高エコーとは、周囲よりも高輝度で白く表現される、（ｂ）の低エコーとは、周囲よりも低輝度でやや黒く表現される、（ｃ）の等エコーとは、周囲と同じ輝度で表現される、（ｄ）の無エコーとは、周囲よりも真っ黒く表現されるという意味である。
【００３５】
実際の生体において、骨には超音波が通過しないので、骨は表面が白く輝いて見えるエコー画像（高エコー）となる。なお、骨のエコー像においては、骨の後方が黒く帯状に見える音響陰影となる。
筋肉層および脂肪層は、それぞれ均一な筋肉組織および脂肪組織として、縞模様のエコー画像となり、筋肉層と脂肪層との間には深筋膜が白線として高エコーで描出され、脂肪層の間には浅筋膜がやはり白線として高エコーで描出される。
表皮・真皮層において、表皮は白線として高エコーで描出され、真皮は白い帯状として比較的高エコーで描出される。
液体の内部には音の反射がないため、例えば液体状の膿瘍は真っ黒なエコー画像（無エコー）となる。
【００３６】
＜疑似仙骨の説明＞
疑似仙骨２１は、例えば、発泡ウレタン等の気泡含有樹脂材料で人の仙骨の形状を模した疑似仙骨主体部３１を備え、この疑似仙骨主体部３１の表面に、例えばアルミニウム等の金属粉（金属微粒子）を含有する金属成分含有塗料３２を塗布して構成されている。
金属は音響インピーダンスが高いので、疑似仙骨２１に当たった超音波のうち、表面の金属成分含有塗料３２中の金属粉に衝突した超音波は通過せずに全て反射する。気泡含有樹脂材料により形成される疑似仙骨主体部３１は、音響インピーダンスが低く減衰能が高いので、表面の金属成分含有塗料３２中の金属粉間を通過した超音波はその疑似仙骨主体部３１で減衰・吸収されることになる。
このため、疑似仙骨２１に向けて放たれた超音波のエコー画像は、実際の仙骨のエコー画像と同様に、疑似仙骨の表面が高エコーとなり、疑似仙骨の後方（図２においては疑似仙骨の下方）が音響陰影となる。
なお、疑似仙骨２１において、疑似仙骨主体部３１の表面に金属成分含有塗料３２を塗布する構成に代えて、疑似仙骨主体部３１の表面に金属微粒子を蒸着したり、溶射したりする構成を採用して、疑似仙骨主体部３１の表面に金属粉を付着するようにしてもよい。
【００３７】
＜疑似筋肉層の説明＞
疑似筋肉層２３は、疑似仙骨２１との音響インピーダンスの差が大きくなるように、つまり疑似仙骨２１の表面を白く際立たせて当該疑似筋肉層２３との境界が明瞭となるように、疑似仙骨２１（特に金属成分含有塗料３２）と比較して音響インピーダンスが格段に低い音響インピーダンスの材料、本例では、例えば、ウレタンゲルに音響インピーダンス変化材としてシリコンジェルを１〜３０質量％含有する弾性材料で構成されている。
【００３８】
＜疑似深筋膜の説明＞
疑似深筋膜２４は、隣接する疑似筋肉層２３および疑似脂肪層２５のそれぞれに対しエコー画像で白く描出させるとともに、それら疑似筋肉層２３と疑似脂肪層２５とを接着するため、それら疑似筋肉層２３や疑似脂肪層２５よりも音響インピーダンスが高い接着剤により構成され、白い細帯状の比較的高エコーで描出される。
【００３９】
＜疑似脂肪層の説明＞
疑似脂肪層２５は、積層方向に複数に分割した複数の分割疑似脂肪層３３と、これら分割疑似脂肪層３３における積層方向に互いに隣り合う分割疑似脂肪層３３の間に介在される疑似浅筋膜３４とにより構成されている。
分割疑似脂肪層３３は、例えば、ウレタンゲルに音響インピーダンス変化材としてシリコンジェルを１〜３０質量％含有する弾性材料で構成されている。
疑似浅筋膜３４は、隣接する分割疑似脂肪層３３に対しエコー画像で白く描出させるため、隣接する分割疑似脂肪層３３よりも音響インピーダンスが高い表面コート剤により構成されている。
こうして、超音波伝達性（音響インピーダンス）が同程度の複数の分割疑似脂肪層３３を積層深さを異ならせて積層するとともに、やはり超音波伝達性（音響インピーダンス）が同程度の複数の疑似浅筋膜３４を積層深さを異ならせて隣り合う分割疑似脂肪層３３の間に介在させるように積層することにより、比較的低エコーの複数の分割疑似脂肪層３３の間に網目状の疑似浅筋膜３４が比較的高エコーで白く描出されて、実際の脂肪層のエコー画像に近いエコー画像を得ることができる。
【００４０】
＜疑似表皮・真皮層の説明＞
疑似表皮・真皮層２６は、疑似脂肪層２５よりも大きい音響インピーダンスの材料、例えば軟質ウレタン樹脂のような弾性材料から構成され、硬度等の調整により人の皮膚の感触に近い状態に仕上げられ、白い細帯状の比較的高エコーで描出される。
【００４１】
以上に述べたように構成される第１の生体組織モデル１１においては、褥瘡が発生していない正常な軟部組織層を模した正常状態の疑似軟部組織層２２Ａに向けて放たれた超音波のエコーにより、モニター８には、図７（ａ）および（ｂ）に示されるように、褥瘡が発生していない正常な状態の疑似軟部組織層２２Ａを示すエコー画像が映し出される。
【００４２】
＜第２の生体組織モデルの説明＞
次に、図３に示される第２の生体組織モデル１２について説明する。なお、先の第１の生体組織モデル１１と同一または同様のものについては、図に同一符号を付すに留めてその詳細な説明を省略することとし、以下においては、この第２の生体組織モデル１２に特有の部分を中心に説明することとする。
【００４３】
第２の生体組織モデル１２は、褥瘡状態の軟部組織層を模した疑似軟部組織層２２Ｂを備えてなるものである。
第２の生体組織モデル１２において、疑似軟部組織層２２Ｂの疑似脂肪層２５には、層構造が不明瞭な部分４１が形成されるとともに、丸みを持った限定的な低エコー域４２が形成されている。
層構造が不明瞭な部分４１は、例えば、ウレタンゲルに音響インピーダンス変化材としてアクリルポリマーを１〜３０質量％を含有する弾性材料で構成されている。
限定的な低エコー域４２は、例えば、（ａ）ウレタンゲルに音響インピーダンス変化材としてアクリルポリマーを１〜３０質量％含有する弾性材料、または、（ｂ）ウレタンゲルで構成され、前者の（ａ）の弾性材料は組織肥厚を伴う浮腫を描出させる場合に用いられて好適であり、後者の（ｂ）は液体状の膿瘍を描出させる場合に用いられて好適である。
【００４４】
第２の生体組織モデル１２においては、疑似脂肪層２５中にその疑似脂肪層２５を構成する材料、すなわち分割疑似脂肪層３３の構成材料（ウレタンゲルにシリコンジェルを１〜３０質量％含有する弾性材料）や、疑似浅筋膜３４の構成材料（分割疑似脂肪層３３よりも音響インピーダンスが高い表面コート剤）とは、超音波伝達性の程度（音響インピーダンスの大きさ）が異なる材料（ここでは、ウレタンゲルにアクリルポリマーを１〜３０質量％含有する弾性材料や、ウレタンゲルにシリコンジェルを１〜３０質量％含有する弾性材料、ウレタンゲル）を混在させることにより、褥瘡の症例を示すエコー画像として、図８（ａ）および（ｂ）に示されるように、疑似脂肪層２５の層構造が不明瞭になった状態部分と、境界が明瞭で丸みを持った低輝度部分が限局的に広がった状態の領域とを示すエコー画像がモニター８に映し出される。
脂肪層の層構造が不明瞭な部分を有する状態の場合は、例えば、浮腫、肉芽、壊死組織などが予想され、境界が明瞭で丸みを持った低輝度の部分が限局的に広がった状態の場合は、例えば、水疱、膿瘍などが予想される。
【００４５】
＜第３の生体組織モデルの説明＞
次に、図４に示される第３の生体組織モデル１３について説明する。なお、先の第１および第２の生体組織モデル１１，１２と同一または同様のものについては、図に同一符号を付すに留めてその詳細な説明を省略することとし、以下においては、この第３の生体組織モデル１３に特有の部分を中心に説明することとする。
【００４６】
第３の生体組織モデル１３においては、褥瘡状態の軟部組織層を模した疑似軟部組織層２２Ｃの疑似脂肪層２５における疑似浅筋膜３４が複数に分断されるとともに、疑似脂肪層２５と疑似筋肉層２３との間の疑似深筋膜２４が複数に分断され、これにより、褥瘡の症例を示すエコー画像として、図９（ａ）および（ｂ）に示されるように、疑似浅筋膜３４および疑似深筋膜２４がそれぞれ断絶した状態部分と、疑似脂肪層２５の層構造が不明瞭になった状態部分と、境界が明瞭で丸みを持った低輝度部分が限局的に広がった状態の領域とを示すエコー画像がモニター８に映し出される。
浅筋膜および深筋膜がそれぞれ断絶した状態の場合は、例えば、強い浮腫か、筋膜組織の損傷・断裂が疑われ、ＤＴＩの重症化のサインを示すものであり、注意を要する。また、境界が明瞭で丸みを持った低輝度部分が限局的に広がった状態の領域は膿瘍が疑われる。
【００４７】
＜第４の生体組織モデルの説明＞
次に、図５に示される第４の生体組織モデル１４について説明する。なお、先の第１〜第３の生体組織モデル１１〜１３と同一または同様のものについては、図に同一符号を付すに留めてその詳細な説明を省略することとし、以下においては、この第４の生体組織モデル１４に特有の部分を中心に説明することとする。
【００４８】
第４の生体組織モデル１４においては、褥瘡状態の軟部組織層を模した疑似軟部組織層２２Ｄの疑似脂肪層２５中にポケット状の空洞部４３が形成され、これにより、褥瘡の症例を示すエコー画像として、図１０（ａ）および（ｂ）に示されるように、境界が明瞭で低輝度部分が限局的に広がった状態を示すエコー画像がモニター８に映し出される。
境界が明瞭で低輝度部分が限局的に広がった状態の場合は、ポケットを伴う重度褥瘡の恐れがある。
【００４９】
＜第５の生体組織モデルの説明＞
次に、図６に示される第５の生体組織モデル１５について説明する。なお、先の第１〜第４の生体組織モデル１１〜１４と同一または同様のものについては、図に同一符号を付すに留めてその詳細な説明を省略することとし、以下においては、この第５の生体組織モデル１５に特有の部分を中心に説明することとする。
【００５０】
第５の生体組織モデル１５においては、褥瘡状態の軟部組織層を模した疑似軟部組織層２２Ｅを備えてなるものである。
第５の生体組織モデルにおいて、疑似脂肪層２５には、敷石状の限定的な低エコー域４４が形成されている。
敷石状の限定的な低エコー域４４は、例えば、ウレタンゲルに音響インピーダンス変化材としてシリコンジェルを１〜３０質量％含有する弾性材料と、ウレタンゲルとを混在させて構成されている。
第５の生体組織モデル１５においては、疑似脂肪層２５中にその疑似脂肪層２５を構成する材料、すなわち分割疑似脂肪層３３の構成材料（ウレタンゲルにシリコンジェルを１〜３０質量％含有する弾性材料）や、疑似浅筋膜３４の構成材料（表面コート剤）とは、超音波伝達性の程度（音響インピーダンスの大きさ）が異なる材料（ここでは、ウレタンゲル）を敷石状に配置させることにより、褥瘡の症例を示すエコー画像として、図１１（ａ）および（ｂ）に示されるように、疑似脂肪層２５との境界が不明瞭で低輝度の部分が不均一に散らばった状態を示すエコー画像がモニター８に映し出される。
脂肪層との境界が不明瞭で低輝度の部分が不均一に散らばった状態の場合は、例えば、壊死組織と液体成分とが混合した状態と考えられ、ＤＴＩの重症化のサインを示すものであり、注意を要する。
【００５１】
＜作用効果の説明＞
第２〜第５の生体組織モデル１２〜１５によれば、超音波伝達性の程度が異なる複数の材料を積層することにより、および／または超音波伝達性が同程度の複数の材料を積層深さを異ならせて積層することにより、褥瘡が発生した状態の軟部組織層を模した褥瘡状態の疑似軟部組織層２２Ｂ〜２２Ｅが形成されて、この褥瘡状態の疑似軟部組織層２２Ｂ〜２２Ｅに向けて放たれた超音波のエコーによってモニター８に褥瘡の症例を示すエコー画像が映し出されるので、超音波検査装置２におけるプローブ２ａの操作のわずかな違いで、映し出される褥瘡の症例を示すエコー画像が変わり、また画質の良否も変わるところまで実現することができ、また患者の都合等を考慮することなく訓練することができるので、超音波検査装置２を用いた褥瘡診断の訓練をよりリアルで容易に行うことができる。
特に、（ａ）層構造が不明瞭になった状態や、（ｂ）低輝度の部分が限局的に広がった状態、（ｃ）低輝度の部分が不均一に散らばった状態、（ｄ）ポケット状の空洞が生じた状態、（ｅ）筋膜が断絶した状態などのような褥瘡を示す具体的な症例についての褥瘡診断の訓練を効果的に行うことができる。
また、第２〜第５の生体組織モデル１２〜１５が組み込まれた人体モデル３によれば、超音波検査装置２を用いた褥瘡診断の訓練を実際の超音波診断における患者の体位に近い状態で行うことができる。
【００５２】
上記の褥瘡診断訓練システム１においては、人体モデル本体１０の仙骨部に設けられた組込用穴１０ａに、第１の生体組織モデル１１を組み込んだ第１の組込形態と、この第１の組込形態における第１の生体組織モデル１１に代えて第２〜第５の生体組織モデル１２〜１５を組み込んだ第２の組込形態とを切り換えて訓練が行われる。第１の組込状態においては、正常状態の軟部組織層を示すエコー画像を見て正常状態の軟部組織層の構造を理解することができる。第２の組込状態においては、褥瘡状態の軟部組織層を示すエコー画像を見て褥瘡状態の軟部組織層の構造を理解することができる。こうして、正常状態の軟部組織層を示すエコー画像と褥瘡状態の軟部組織層を示すエコー画像とを第１の組込状態と第２の組込状態とを切り換えることによって交互に見ることができ、超音波検査装置２を用いた褥瘡診断の訓練をより効果的に行うことができる。
【００５３】
以上、本発明の褥瘡診断訓練用の生体組織モデルおよび人体モデルについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００５４】
本発明の褥瘡診断訓練用の生体組織モデルおよび人体モデルは、超音波検査装置を用いた褥瘡診断の訓練をよりリアルで容易に行うことができるという特性を有していることから、医師や看護師等が自ら実際の超音波検査装置を用いて行う褥瘡診断の訓練の用途に好適に用いることができ、産業上の利用可能性が大である。
【符号の説明】
【００５５】
１      褥瘡診断訓練システム
２      超音波検査装置
３      人体モデル
８      モニター
１０    人体モデル本体
１１〜１５      生体組織モデル
２１    疑似仙骨
２２Ａ〜２２Ｅ  疑似軟部組織層
２３    疑似筋肉層
２４    疑似深筋膜
２５    疑似脂肪層
２６    疑似表皮・真皮層
４１    層構造が不明瞭な部分
４２    丸みを持った限定的な低エコー域
４３    空洞部
４４    敷石状の限定的な低エコー域
【図１】
2016224396.tif 000004
【図２】
2016224396.tif 000005
【図３】
2016224396.tif 000006
【図４】
2016224396.tif 000007
【図５】
2016224396.tif 000008
【図６】
2016224396.tif 000009
【図７】
2016224396.tif 000010
【図８】
2016224396.tif 000011
【図９】
2016224396.tif 000012
【図１０】
2016224396.tif 000013
【図１１】
2016224396.tif 000014